【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正又は負の屈折力の前群、開口絞り、正の屈折力の後群より構成された光学系であって、
前記後群は、物体側から像側へ順に、正レンズＧ３１と該正レンズＧ３１の像側に隣接して配置された負レンズＧ３２を接合した接合レンズＧ３ａ、正レンズＧ３３、正レンズＧ３４を有し、
前記正レンズＧ３１の物体側のレンズ面と像側のレンズ面の曲率半径を各々Ｒ３１ｆ，Ｒ３１ｒ、前記正レンズＧ３１の材料のアッベ数と部分分散比を各々νｄ３１，θｇＦ３１とするとき、
１．０＜（Ｒ３１ｆ＋Ｒ３１ｒ）／（Ｒ３１ｆ−Ｒ３１ｒ）＜１０．０
νｄ３１＞７０．０
θｇＦ３１−（−０．００１６８２×νｄ３１＋０．６４３８）＞０．０
なる条件式を満足することを特徴とする光学系。
【請求項２】
前記負レンズＧ３２の材料のアッベ数と部分分散比を各々νｄ３２，θｇＦ３２とするとき、
θｇＦ３２−（−０．００１６８２×νｄ３２＋０．６４５８）＜０．０
なる条件式を満足することを特徴とする請求項１に記載の光学系。
【請求項３】
前記前群は、物体側から像側へ順に配置された、正又は負の屈折力の第１レンズ群、正の屈折力の第２レンズ群より構成され、前記後群は正の屈折力の第３レンズ群より構成され、フォーカシングに際して前記第２レンズ群と前記第３レンズ群が移動することを特徴とする請求項１または２に記載の光学系。
【請求項４】
前記第２レンズ群は、物体側から像側へ順に配置された、正レンズＧ２１、正レンズＧ２２、正レンズＧ２３、負レンズＧ２４より構成されることを特徴とする請求項３に記載の光学系。
【請求項５】
前記正レンズＧ２２と前記正レンズＧ２３は接合されており、前記正レンズＧ２３と前記負レンズＧ２４は接合されていることを特徴とする請求項４に記載の光学系。
【請求項６】
前記正レンズＧ２２の材料のアッベ数と部分分散比を各々νｄ２２，θｇＦ２２とするとき、
νｄ２２＞６５．０
θｇＦ２２−（−０．００１６８２×νｄ２２＋０．６４３８）＞０．０
なる条件式を満足することを特徴とする請求項４または５に記載の光学系。 
【請求項７】
材料のアッベ数νｄ２ｐｉ、部分分散比をθｇＦ２ｐｉとし、前記正レンズＧ２２又は前記正レンズＧ２３の材料の異常部分分散性ΔθｇＦ２ｐｉを
ΔθｇＦ２ｐｉ＝θｇＦ２ｐｉ−（−１．６６５×１０−７×νｄ２ｐｉ３＋５．２１３×１０−５×νｄ２ｐｉ２−５．６５６×１０−３×νｄ２ｐｉ＋７．２７８×１０−１）とするとき、
ΔθｇＦ２ｐｉ＞０．０２７２
なる条件式を満足することを特徴とする請求項４乃至６のいずれか１項に記載の光学系。
【請求項８】
前記正レンズＧ３３の材料又は前記正レンズＧ３４の材料の屈折率をＮｄ３ｐとするとき、
Ｎｄ３ｐ＞１．８０
なる条件式を満足することを特徴とする請求項１乃至７のいずれか１項に記載の光学系。 
【請求項９】
請求項１乃至８のいずれか１項の光学系と、該光学系によって形成される像を受光する光電変換素子とを備えることを特徴とする撮像装置。
【手続補正２】
【補正対象書類名】明細書
【補正対象項目名】０００８
【補正方法】変更
【補正の内容】
【０００８】
本発明の光学系は、物体側から像側へ順に配置された、正又は負の屈折力の前群、開口絞り、正の屈折力の後群より構成された光学系であって、
前記後群は、物体側から像側へ順に、正レンズＧ３１と該正レンズＧ３１の像側に隣接して配置された負レンズＧ３２を接合した接合レンズＧ３ａ、正レンズＧ３３、正レンズＧ３４を有し、
前記正レンズＧ３１の物体側のレンズ面と像側のレンズ面の曲率半径を各々Ｒ３１ｆ，Ｒ３１ｒ、前記正レンズＧ３１の材料のアッベ数と部分分散比を各々νｄ３１，θｇＦ３１とするとき、
１．０＜（Ｒ３１ｆ＋Ｒ３１ｒ）／（Ｒ３１ｆ−Ｒ３１ｒ）＜１０．０
νｄ３１＞７０．０
θｇＦ３１−（−０．００１６８２×νｄ３１＋０．６４３８）＞０．０
なる条件式を満足することを特徴としている。
【手続補正３】
【補正対象書類名】明細書
【補正対象項目名】００１１
【補正方法】変更
【補正の内容】
【００１１】
以下に、本発明の好ましい実施の形態を、添付の図面に基づいて詳細に説明する。本発明の光学系は、物体側から像側へ順に配置された、正又は負の屈折力の前群、開口絞り、正の屈折力の後群を有する。本発明の光学系は、焦点距離がバックフォーカスよりも短いレトロフォーカス型の撮像光学系である。
【手続補正４】
【補正対象書類名】明細書
【補正対象項目名】００１７
【補正方法】変更
【補正の内容】
【００１７】
各実施例の光学系は、物体側から像側へ順に配置された、正又は負の屈折力の前群ＬＦ、開口絞りＳＰ、正の屈折力の後群ＬＲより構成されている。後群ＬＲは物体側から像側へ順に、正レンズＧ３１と正レンズＧ３１の像側に隣接して配置された負レンズＧ３２を接合した接合レンズＧ３ａ、正レンズＧ３３、正レンズＧ３４を有している。
【手続補正５】
【補正対象書類名】明細書
【補正対象項目名】００２６
【補正方法】変更
【補正の内容】
【００２６】
各実施例では前群ＬＦは、物体側から像側へ順に配置された、正又は負の屈折力の第１レンズ群Ｌ１、正の屈折力の第２レンズ群Ｌ２より構成され、後群ＬＲは正の屈折力の第３レンズ群Ｌ３から構成されている。無限遠から近距離へのフォーカシングに際して第２レンズ群Ｌ２と第３レンズ群Ｌ３が物体側へ一体的に（同一の軌跡で）又は独立に（互いに異なった軌跡で）移動する。また第１レンズ群Ｌ１と第２レンズ群Ｌ２の間隔を変えながらフォーカスすることで、物体距離の変動によって生じる像面変動を軽減している。
【手続補正６】
【補正対象書類名】明細書
【補正対象項目名】００２８
【補正方法】変更
【補正の内容】
【００２８】
各実施例において好ましくは次の条件式のうち１以上を満足するのが良い。負レンズＧ３２の材料のアッベ数と部分分散比を各々νｄ３２，θｇＦ３２とする。第２レンズ群Ｌ２は物体側から像側へ順に配置された、正レンズＧ２１、正レンズＧ２２、正レンズＧ２３、負レンズＧ２４より構成することである。そして正レンズＧ２２と正レンズＧ２３は接合され、負レンズＧ２４は接合されて構成するのが良い。このとき、正レンズＧ２２の材料のアッベ数と部分分散比を各々νｄ２２，θｇＦ２２とする。
【手続補正７】
【補正対象書類名】明細書
【補正対象項目名】００２９
【補正方法】変更
【補正の内容】
【００２９】
材料のアッベ数νｄ２ｐｉ、部分分散比をθｇＦ２ｐｉとし、正レンズＧ２２又は正レンズＧ２３の材料の異常部分分散性ΔθｇＦ２ｐｉを
ΔθｇＦ２ｐｉ＝θｇＦ２ｐｉ−（−１．６６５×１０-7×νｄ２ｐｉ3＋５．２１３×１０-5×νｄ２ｐｉ2−５．６５６×１０-3×νｄ２ｐｉ＋７．２７８×１０-1）
とする。正レンズＧ３３の材料又は正レンズＧ３４の材料の屈折率をＮｄ３ｐとする。このとき、次の条件式のうち１以上を満足するのが良い。
【手続補正８】
【補正対象書類名】明細書
【補正対象項目名】００３０
【補正方法】変更
【補正の内容】
【００３０】
θｇＦ３２−（−０．００１６８２×νｄ３２＋０．６４５８）＜０．０・・・（４）
νｄ２２＞６５．０                                                ・・・（５）
θｇＦ２２−（−０．００１６８２×νｄ２２＋０．６４３８）＞０．０・・・（６）
ΔθｇＦ２ｐｉ＞０．０２７２                                      ・・・（７）
Ｎｄ３ｐ＞１．８０                                                ・・・（８）
次に前述の各条件式の技術的意味について説明する。